(57)【要約】【課題】ビスのような固定部材で設置面に固定しつつも、簡易な構成で防水を実現する。【解決手段】パネル１０を設置面上に取り付けるためのパネルの取付構造は、第１板部材３００と、第１板部材３００の第１端部３００ａ上に部分的に重なる第２板部材３００と、パネル１０を直接的又は間接的に支持する固定具１００と、を有する。固定具１００は、第１板部材の第１端部３００ａから、第１板部材の第１端部３００ａとは反対側の第２端部３００ｂまで延びている。固定具１００は、第１板部材３００の第１端部３００ａのところで、第２板部材３００の下側に挿入される第１挿入部１４２と、第１板部材の第２端部３００ｂの下側に挿入される第２挿入部１１２と、を有する。固定具１００を設置面に固定する固定部材１９０は、第１挿入部１４２に設けられ、第２板部材３００で覆われている。【選択図】図４
2019206883.tif 000002
【特許請求の範囲】
【請求項１】
パネルを設置面上に取り付けるためのパネルの取付構造であって、
第１板部材と、
前記第１板部材に隣接し、前記第１板部材の第１端部上に部分的に重なる第２板部材と、
前記パネルを直接的又は間接的に支持する固定具と、を有し、
前記固定具は、前記第１板部材の前記第１端部から、前記第１板部材の前記第１端部とは反対側の第２端部まで延びており、
前記固定具は、前記第１板部材の前記第１端部のところで前記第２板部材の下側に挿入される第１挿入部と、前記第１板部材の前記第２端部の下側に挿入される第２挿入部と、を有し、
前記固定具を前記設置面に固定する固定部材は、前記第１挿入部に設けられ、前記第２板部材で覆われている、パネルの取付構造。
【請求項２】
前記固定具は、前記第１挿入部と前記第２挿入部との間の距離を調整可能に構成されている、請求項１に記載のパネルの取付構造。
【請求項３】
前記固定具は、
搭載物と当接する支持部と、前記第２挿入部と、を含む第１部材と、
前記第１部材に取り付けられ、前記第１挿入部を含む第２部材と、
を有する、請求項１又は２に記載のパネルの取付構造。
【請求項４】
前記第１板部材の前記第１端部は、上方に折り返された第１折り返し部を有し、
前記第２板部材は、前記第１折り返し部と係合するよう下方に折り返された第２折り返し部を有し、
前記固定具は、前記第１板部材の前記第１折り返し部に沿って上方に折り返されるとともに前記第２板部材の前記第２折り返し部に沿ってさらに上方に折り返される係合部を有する、請求項１から３のいずれか１項に記載のパネルの取付構造。
【請求項５】
前記固定部材は、前記第１板部材よりも外側の領域で、前記第１挿入部を前記設置面に固定する、請求項１から４のいずれか１項に記載のパネルの取付構造。
【請求項６】
前記固定具は、前記固定具上に搭載される搭載物を締結可能な第１締結部材を有し、
前記第１締結部材は、一方向にスライド可能に構成されている、請求項１から５のいずれか１項に記載のパネルの取付構造。
【請求項７】
第１板部材と、前記第１板部材に隣接し、前記第１板部材の第１端部上に部分的に重なる第２板部材と、を含む面上にパネルを直接的又は間接的に支持する固定具であって、
前記固定具は、第１板部材の第１端部から、前記第１板部材の前記第１端部とは反対側の第２端部まで延びており、
前記固定具は、前記第１板部材の前記第１端部のところで前記第２板部材の下側に挿入される第１挿入部と、前記第１板部材の前記第２端部の下側に挿入される第２挿入部と、
前記固定具を設置面に固定する固定部材と、を有し、
前記固定部材は、前記第１挿入部に設けられ、前記第２板部材で覆われた位置に設けられる、固定具。
【請求項８】
パネル用の固定具を設置面上に取り付ける固定具の設置方法であって、
第１板部材を前記設置面に設置するステップと、
前記第１板部材の第１端部から、前記第１板部材の前記第１端部とは反対側の第２端部まで延びる固定具であって、第１挿入部と第２挿入部を含む固定具を準備するステップと、
前記第１板部材の前記第２端部の下側に前記第２挿入部が挿入され、かつ前記第１板部材の前記第１端部のところから前記第１挿入部が延出するよう、前記第１板部材上に前記固定具を設置するステップと、
固定部材によって前記第１挿入部を前記設置面に固定するステップと、
前記固定部材を覆い、かつ前記第１板部材の前記第１端部上に部分的に重なるように、第２板部材を前記設置面上に設置するステップと、を有する、固定具の設置方法。
【発明の詳細な説明】
【技術分野】
【０００１】
本発明は、例えば太陽電池モジュールのようなパネルを含むパネルの取付構造と、パネル用の固定具と、固定具の設置方法に関する。
【背景技術】
【０００２】
近年、太陽電池モジュールは様々な建造物の屋根に設置されている。住宅の屋根には、屋根材の種類によって、例えば、スレート屋根、瓦屋根、金属屋根など様々な種類がある。したがって、太陽電池モジュールを屋根材上に備え付けるための固定具も様々なものが提案されている（下記の特許文献１，２）。
【０００３】
特許文献１は、太陽電池モジュールを、屋根に「孔」を開けることなく、外装材の下地の構成に影響を受けることなく、ハゼ部に掛かる強度を最小限（分散させて）に配設することができる外設材の支持部材及び支持構造を開示する。屋根を構成する外装材は、互いに部分的に重なって設けられる（外装材の接続部）。特許文献２に記載された支持部材は、屋根を構成する外装材の水下側の接続部に差し込まれる第一差込部と、外装材の水上側の接続部に差し込まれる第二差込部と、を有する。この支持部材は、ビスのような固定部材で屋根材に孔をあけることなく、第一差込部と第二差込部によって、屋根材に取り付けられる。
【０００４】
特許文献２は、取付ネジによって敷設面に取り付けるための取付孔が形成された基底部と、太陽電池モジュールを載置する第一の載置部と、を備えた太陽電池モジュール設置用金具を開示する。太陽電池モジュール設置用金具は、水切り板と水切りカバーを有する。水切り板は敷設面上に載置されており、太陽電池モジュール設置用金具は、取付ネジによって水切り板を介して敷設面に取り付けられる。また、水切りカバーは、太陽電池モジュール設置用金具を覆っている。
【先行技術文献】
【特許文献】
【０００５】
【特許文献１】特開２０１５−１２７４９２号
【特許文献２】特開２０１１−１１７２０４号
【発明の概要】
【発明が解決しようとする課題】
【０００６】
特許文献１に記載された支持部材は、ビスのような固定部材で屋根材に孔をあけることなく、第一差込部と第二差込部によって、屋根材に取り付けられる。しかしながら、ビスのような固定部材を使用しない場合、太陽電池モジュールのようなパネルの固定強度が低下することがある。また、固定強度を向上させるために多数の支持部材を使用すれば、パネルの施工に必要な部品点数が増加し、施工に時間を要することもある。
【０００７】
特許文献２に記載された太陽電池モジュール設置用金具は、取付ネジによって水切り板を介して敷設面に取り付けられるため、敷設面に孔があくことになる。そのため、防水が十分でないと漏水の可能性がある。また、十分な防水を実現するためには、水切り板と水切りカバーのような特殊な防水構造が必要となり、金具自体の製造コストが高くなることもある。
【０００８】
したがって、ビスのような固定部材で設置面に固定しつつも、簡易な構成で防水を実現可能なパネルの取付構造が望まれる。
【課題を解決するための手段】
【０００９】
一態様に係るパネルを設置面上に取り付けるためのパネルの取付構造は、第１板部材と前記第１板部材の第１端部上に部分的に重なる第２板部材と、前記パネルを直接的又は間接的に支持する固定具と、を有する。前記固定具は、前記第１板部材の前記第１端部から、前記第１板部材の前記第１端部とは反対側の第２端部まで延びている。前記固定具は、前記第１板部材の第１端部３００ａのところで、前記第２板部材の下側に挿入される第１挿入部と、前記第１板部材の前記第２端部の下側に挿入される第２挿入部と、を有する。前記固定具を前記設置面に固定する固定部材は、前記第１挿入部に設けられ、前記第２板部材で覆われている。
【００１０】
一態様に係る固定具は、第１板部材と、前記第１板部材に隣接し、前記第１板部材の第１端部上に部分的に重なる第２板部材と、を含む面上にパネルを直接的又は間接的に支持する固定具に関する。前記固定具は、第１板部材の第１端部から、前記第１板部材の前記第１端部とは反対側の第２端部まで延びている。前記固定具は、前記第１板部材の前記第１端部のところで前記第２板部材の下側に挿入される第１挿入部と、前記第１板部材の前記第２端部の下側に挿入される第２挿入部と、前記固定具を設置面に固定する固定部材と、を有する。前記固定部材は、前記第１挿入部に設けられ、前記第２板部材で覆われた位置に設けられる。
【００１１】
一態様に係るパネル用の固定具を設置面上に取り付ける固定具の設置方法は、第１板部材を前記設置面に設置するステップと、前記第１板部材の第１端部から、前記第１板部材の前記第１端部とは反対側の第２端部まで延びる固定具であって、第１挿入部と第２挿入部を含む固定具を準備するステップと、前記第１板部材の前記第２端部の下側に前記第２挿入部が挿入され、かつ前記第１板部材の前記第１端部のところから前記第１挿入部が延出するよう、前記第１板部材上に前記固定具を設置するステップと、固定部材によって前記第１挿入部を前記設置面に固定するステップと、前記固定部材を覆い、かつ前記第１板部材の前記第１端部上に部分的に重なるように、第２板部材を前記設置面上に設置するステップと、を有する。
【発明の効果】
【００１２】
上記態様によれば、ビスのような固定部材で設置面に固定しつつも、簡易な構成で防水を実現できる。
【図面の簡単な説明】
【００１３】
【図１】一実施形態に係るパネルの取付構造の斜視図である。
【図２】パネルの取付構造の分解斜視図である。
【図３】固定具及び板部材の斜視図である。
【図４】パネルの取付構造の側面図である。
【図５】固定具の分解斜視図である。
【図６】固定具の上面図である。
【発明を実施するための形態】
【００１４】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１５】
図１は、一実施形態に係るパネルの取付構造の斜視図である。図２は、パネルの取付構造の分解斜視図である。図３は、パネルの取付構造を構成する固定具及び板部材の斜視図である。なお、図３では、後述する複数の板部材３００のうちの１つが取り外された状態が示されている。図４は、パネルの取付構造の部分的側面図である。ただし、図４では、図の簡便化のため、屋根材４００は示されていない。図５は、固定具の分解斜視図である。図６は、固定具の上面図である。
【００１６】
パネルを設置面上に取り付けるためのパネルの取付構造は、パネル１０と、パネル１０を支持する支持部材２００と、固定具１００と、複数の板部材３００と、を有する。パネル１０は、例えば太陽電池モジュールであってよい。パネル１０は、１つであってもよく、複数並んでいてもよい。
【００１７】
本実施形態では、パネル１０は、水平面から傾斜した設置面に設置されていてよい。そのような設置面として、例えば建造物の屋根、具体的にはスレートのような屋根材４００が挙げられる。
【００１８】
本明細書において、傾斜した設置面において最大傾斜線に沿って高い方から低い方へ向かう方向を「流れ方向Ｆ１」と称する。流れ方向Ｆ１の上流側を「水上側」と称する。流れ方向Ｆ１の下流側を「水下側」と称する。また、水平面に平行な面内で流れ方向Ｆ１と直交する方向を「横方向Ｆ２」と称する。
【００１９】
支持部材２００は、横方向Ｆ２に延びていてよい。支持部材２００は、パネル１０の端部を積載するパネル積載部２２０を有する（図４参照）。１つのパネル１０は、一対の支持部材２００のパネル積載部２２０によって支持されている。図４に示す態様では、支持部材２００は、単一の部材によって構成されている。この代わりに、支持部材２００は、互いに取り付けられた複数の部材によって構成されていてもよい。
【００２０】
支持部材２００は、固定具１００に設けられた第１締結部材１８０によって固定具１００に取り付けられている。固定具１００は、板部材３００上に設けられている。本実施形態では、各々の支持部材２００は、２つの固定具１００によって固定されている。これに限らず、各々の支持部材２００を固定する固定具１００の数は、１つ、又は３つ以上であってもよい。
【００２１】
複数の板部材３００は、互いに隣接して設けられている。複数の板部材３００は、元々設置されていた屋根材４００上に、屋根材４００を覆うように設けられていてよい。板部材３００は、例えば金属板によって構成されていてもよいが、これに限定されない。
【００２２】
互いに隣接する板部材３００は、部分的に互いに重なっていてよい。より具体的には、板部材３００の第１端部３００ａは、上方に折り返された第１折り返し部３００ａを有し、板部材３００の第２端部３００ｂは、下方に折り返された第２折り返し部３００ｂを有していてよい。ここで、第１端部３００ａと第２端部３００ｂは、板部材３００の互いに反対側の端部に相当する。板部材３００の第１端部３００ａは、隣接する板部材３００の第２端部３００ｂと係合し、噛み合っている。このような板部材３００の係合は、流れ方向Ｆ１に互いに隣接する板部材３００どうしの間に存在することが好ましい。これにより、板部材３００の表面に付着した水が、板部材３００の下側の屋根材４００に達することを抑制することができる。
【００２３】
固定具１００は、第１部材１１０と、第２部材１４０と、を有していてよい。第１部材１１０と第２部材１４０は、第２締結部材１６０によって互いに締結されていてよい。第１部材１１０は、搭載物としての支持部材２００と当接する支持部を有していてよい。図示された態様では、第１部材１１０の支持部は、第１部材１１０の上部によって規定される。
【００２４】
固定具１００は、第１板部材３００と第２板部材３００とが重なる部分において、第１板部材３００と第２板部材３００との間に挿入される第１挿入部１４２を有する。本実施形態では、第１挿入部１４２は、第２部材１４０に設けられている。第１挿入部１４２は、固定具１００が置かれている第１板部材３００に隣接する第２板部材にまで達している。
【００２５】
ここで、「第１板部材」及び「第２板部材」という用語は、説明の便宜上、複数の板部材３００を互いに区別するために用いられている。図３及び図４に示す態様では、第１板部材３００は、固定具１００の直下に示されている板部材に相当し、第２板部材３００は、第１板部材３００の水上側に隣接する板部材に相当する。
【００２６】
固定具１００を設置面に固定する固定部材１９０は、第１挿入部１４２に設けられ、第２板部材３００で覆われている。固定部材１９０は、例えばビスや釘であってよい。固定部材１９０は、第１板部材３００よりも外側の領域で、第１挿入部１４２を設置面に固定する。より具体的には、固定部材１９０は、第１挿入部１４２を貫通し、屋根材４００に達する。
【００２７】
固定具１００はビスや釘のような固定部材１９０によって固定されるため、屋根材４００に強固に取り付けられる。この場合であっても、固定部材１９０が第２板部材３００で覆われているため、板部材の表面に付着した水が固定部材１９０のところまで浸入することが防止される。このように、固定部材１９０によって固定具１００を強固に固定しつつも、簡易な構成で防水を実現することができる。
【００２８】
防水性を高めるため、屋根材４００に打ち込まれるすべての固定部材１９０は、板部材３００に覆われた位置のみに存在することが好ましい。
【００２９】
固定具１００の第２部材１４０は、第１板部材３００の上面に当接する脚部１４６を有していてもよい。脚部１４６は、固定具１００自身、及び固定具１００上に搭載される搭載物の荷重を支える。
【００３０】
固定具１００の第２部材１４０は、第１板部材３００の第１折り返し部３００ａに沿って上方に折り返されるとともに第２板部材３００の第２折り返し部３００ｂに沿ってさらに上方に折り返される係合部１４４を有していることが好ましい。すなわち、第２部材１４０は、係合部１４４のところで略Ｚ型に折り曲げられている。これにより、第２部材１４０は、係合部１４４よりも脚部１４６側では固定具１００が置かれた第１板部材３００の上に位置し、係合部１４４よりも第１挿入部１４２側では第１板部材３００に隣接する第２板部材３００の下に配置されることになる。
【００３１】
また、固定具１００は、係合部１４４によって、第１板部材３００の第１端部３００ａを挟む。したがって、係合部１４４は、固定具１００の固定強度を向上させることもできる。
【００３２】
第１締結部材１８０は、一方向にスライド可能に構成されていることが好ましい。より好ましくは、第１締結部材１８０は、流れ方向Ｆ１にスライド可能に構成されている。これにより、例えば支持部材２００のような搭載物の位置を調節することができる。
【００３３】
本実施形態では、第１部材１１０は、流れ方向Ｆ１に沿って延びた穴１３０を有する（図５及び図６参照）。第１締結部材１８０は、穴１３０を貫通するよう配置されている。第１締結部材１８０は、例えばボルトとナットを含んでいてよい。この場合、流れ方向Ｆ１に直交する横方向Ｆ２における穴１３０の幅は、ボルトの頭部及びナットよりも狭く、ボルトの螺旋部よりも広い。これにより、ナットを緩めることで、第１締結部材１８０は、穴１３０が延びている方向、ここでは流れ方向Ｆ１にスライドできる。
【００３４】
第１締結部材１８０の位置がスライドできれば、一対の支持部材２００どうしの間の距離が、固定具１００どうしの間の距離に制限されず、調整可能となる。すなわち、パネル１０のサイズに合わせて、一対の支持部材２００どうしの間の距離を調節できる。
【００３５】
固定具１００は、第１板部材３００の第１端部３００ａから、第１板部材３００の第１端部３００ａとは反対側の第２端部３００ｂまで延びている。具体的には、第１部材１１０は、少なくとも固定具１００が置かれている第１板部材３００の第２端部３００ｂまで延びていてよい。
【００３６】
固定具１００、具体的には第１部材１１０は、第１板部材３００の第２端部３００ｂの下側に挿入される第２挿入部１１２を有することが好ましい。これにより、第２挿入部１１２は、固定具１００の固定強度の向上に寄与する。前述したように、係合部１４４が第１板部材３００の第１端部３００ａを挟む場合、固定具１００は、係合部１４４と第２挿入部１１２によって、第１板部材の第１端部３００ａと第２端部３００ｂとを挟み込むよう構成される。このように、固定具１００が第１板部材３００を掴むよう構成されるため、固定具１００の固定強度がより向上する。
【００３７】
固定具１００は、第１挿入部１４２と第２挿入部１１２との間の距離を調整可能に構成されていることが好ましい。本実施形態では、第１部材１１０と第２部材１４０は、第２締結部材１６０によって互いに締結されており、第２締結部材１６０が第２部材１４０とともに第１部材１１０に関してスライド可能に構成されている。これにより、第１挿入部１４２と第２挿入部１１２との間の距離が調節可能となっている。
【００３８】
具体的には、第１部材１１０は、流れ方向Ｆ１に沿って延びた穴１２０を有する（図５及び図６参照）。第２締結部材１６０は、穴１２０を貫通するよう配置されている。第２締結部材１６０は、例えばボルトとナットを含んでいてよい。この場合、流れ方向Ｆ１に直交する横方向Ｆ２における穴１２０の幅は、ボルトの頭部及びナットよりも狭く、ボルトの螺旋部よりも広い。これにより、ナットを緩めることで、第２締結部材１６０は、穴１２０が延びている方向、ここでは流れ方向Ｆ１にスライドできる。
【００３９】
第１挿入部１４２と第２挿入部１１２との間の距離が調節可能である場合、長さの異なる板部材３００に対して固定具１００を設置することができるようになる。したがって、汎用性の高い固定具１００を提供することができる。
【００４０】
好ましくは、第２締結部材１６０が通る穴１２０は、第１部材１１０の上面よりも低い位置、すなわち第１板部材３００に近い位置に設けられている。これにより、固定具１００は、第２締結部材１６０が、第１部材１１０の上面より上方に突出しないよう構成されている。したがって、第２締結部材１６０が、第１部材１１０の上面上に置かれた支持部材２００のような積載物に干渉することを防止することができる。
【００４１】
（固定具の設置方法）
次に、前述した固定具１００を用いたパネルの設置方法について簡単に説明する。本実施形態では、まず、もともと葺いてあった屋根材４００を覆うように板部材３００（金属屋根を葺く（カバー工法）。この際、板部材３００の水上側の折り返し部３００ａを、これに隣接する板部材３００の水下側の折り返し部３００ｂに係合させる。板部材３００は、水下側から水上側に向かって順番に設置すればよい。
【００４２】
固定具１００を設置すべき第１板部材３００を屋根材４００のような設置面上に設置したら、第１板部材３００の水上側に隣接する第２板部材３００を設置する前に、固定具の第２部材１４０の係合部１４４が第１板部材３００の水上側の折り返し部３００ａに沿うように、固定具の第２部材１４０を設置する。これにより、第２部材１４０の第１挿入部１４２は、第１板部材３００の水上側の屋根材４００上に位置することになる（図２も参照）。ここで、固定具１００の第１部材１１０は、第２部材１４０に取り付けられた状態でも、第２部材１４０から取り外した状態でもよい。第１部材１１０が第２部材１４０に取り付けられている場合、第１部材１１０の第２挿入部１１２を、第１板部材３００の水下側の端部の下に挿入させる。また、固定具の第１挿入部１４２は、第１板部材３００の第１端部３００ａのところから延出した状態となる。
【００４３】
次に、ビスや釘のような固定部材１９０によって、第２部材１４０の第１挿入部１４２を屋根材４００のような設置面に固定する。この段階で第１部材１１０が第２部材１４０から取り外されている場合には、第２締結部材１６０によって、第２部材１４０に第１部材１１０を設置する。この際、第１部材１１０の第２挿入部１１２を、第１板部材３００の水下側の端部の下に挿入させる。
【００４４】
次に、固定部材１９０を覆うように、第１板部材３００の水上側に隣接する第２板部材３００を設置する。ここで、第２板部材３００は、第１板部材３００の第１端部３００ａに部分的に重なるように設置される。この際、第２板部材３００の水下側の折り返し部３００ｂを、第１板部材３００の水上側の折り返し部３００ａと、固定具１００の第２部材１４０の係合部１４４とに係合させる。
【００４５】
固定具１００が設置されたら、固定具１００の第１部材１１０上に支持部材２００を設置し、第１締結部材１８０によって支持部材２００を第１部材１１０に締結する。それから、支持部材２００によって太陽電池モジュールのようなパネル１０を設置すればよい。
【００４６】
なお、前述した施工の順番は、可能な限り変更することができる。例えば、第２部材１４０への第１部材１１０の取り付けは、第１板部材３００の水上側に隣接する第２板部材３００を設置した後に行われてもよい。
【００４７】
以上のように、本実施形態の固定具１００では、板部材３００を順番に葺きながら固定具１００を設置することができる。この場合、すべての板部材３００を葺いた後に固定具を設置する場合と比較すると、固定具１００の位置決めが容易であり、施工性が向上する。
【００４８】
また、もともと葺いてあった屋根材を覆うように金属屋根を葺く工法（カバー工法）は、屋根のリフォームの際に行われることがある。本実施形態に係る固定具１００は、このリフォームで行われるカバー工法に好適に適用できる。したがって、屋根のリフォームとともに太陽電池モジュールのようなパネル１０を設置することができる。
【００４９】
なお、カバー工法は、もともと葺いてあった屋根材を撤去する必要がないため、人件費や施工にかかる日数を削減することができ、不要な屋根材の撤去費用もかからないというメリットがある。
【００５０】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００５１】
例えば、上記実施形態では、パネル１０は水平面から傾斜した設置面に設置されている。この代わりに、パネル１０は水平面から傾斜しない設置面に設置されていてもよい。この場合、流れ方向Ｆ１と横方向Ｆ２は、それぞれ互いに直交する２つの方向と読み変えることができることに留意されたい。
【００５２】
また、上記実施形態では、もともと葺いてあった屋根材４００を覆うように金属屋根のような板部材３００が設置され、板部材３００上に固定具１００が設けられている。この代わりに、固定具１００は、もともと葺いてあった屋根材上に設けられてもよい。この場合、前述した実施形態において、板部材３００が、もともと葺いてあった屋根材に相当することに留意されたい。
【００５３】
また、固定具１００が置かれる板部材３００の下に不図示の防水シートが敷かれてもよい。この場合、防水シートは、少なくとも固定部材１９０が存在する領域に設けられていてよい。
【００５４】
上記実施形態では、固定具１００の第１部材１１０は、第２締結部材１６０によって第２部材１４０と締結されている。この代わりに、第１部材１１０と第２部材１４０は一体に形成されていてもよい。
【００５５】
前述した施工方法では、固定具１００の第２部材１４０を、ビスや釘のような固定部材１９０によって設置面に固定した後に、第２部材１４０に第１部材１１０を取り付けている。この代わりに、可能であれば、第１部材１１０と第２部材１４０とが互いに締結された状態で、固定具１００を、ビスや釘のような固定部材１９０によって設置面に固定してもよい。
【００５６】
上記実施形態では、固定具１００は、支持部材２００を介して、太陽電池モジュールのようなパネル１０を間接的に支持する。この代わりに、固定具１００は、パネル１０を直接的に支持するものであってもよい。
【符号の説明】
【００５７】
１０    パネル
１００  固定具
１１０  第１部材
１１２  第２挿入部
１２０  穴
１３０  穴
１４０  第２部材
１４２  第１挿入部
１４４  係合部
１４６  脚部
１６０  第２締結部材
１８０  第１締結部材
１９０  固定部材
２００  支持部材
３００  板部材
４００  屋根材
Ｆ１      流れ方向
Ｆ２      横方向
【図１】
2019206883.tif 000003
【図２】
2019206883.tif 000004
【図３】
2019206883.tif 000005
【図４】
2019206883.tif 000006
【図５】
2019206883.tif 000007
【図６】
2019206883.tif 000008